(57)【要約】【課題】より省電力化された通信装置を提供すること。【解決手段】人体に接触又は近接された信号電極から電圧を印加し、人体表面に近傍電界を生成し送信する通信方式で通信する第１の通信部と、前記第１の通信部とは異なる第２の通信部と、前記第１の通信部により間欠受信される信号の中から、前記第２の通信部を省電力モードから通常モードへと切り替えるためのモード切替信号を検出する切替信号検出部と、前記切替信号検出部によりモード切替信号が検出された場合に、前記第２の通信部を省電力モードから通常モードへと切り替える切替制御部と、を備える、通信装置が提供される。【選択図】図５
2011259172.tif 000002
【特許請求の範囲】
【請求項１】
人体に接触又は近接された信号電極から電圧を印加し、人体表面に近傍電界を生成し送信する通信方式で通信する第１の通信部と、
前記第１の通信部とは異なる第２の通信部と、
前記第１の通信部により間欠受信される信号の中から、前記第２の通信部を省電力モードから通常モードへと切り替えるためのモード切替信号を検出する切替信号検出部と、
前記切替信号検出部によりモード切替信号が検出された場合に、前記第２の通信部を省電力モードから通常モードへと切り替える切替制御部と、
を備える、
通信装置。
【請求項２】
前記第１及び第２の通信部とは異なる第３の通信部をさらに備え、
前記モード切替信号は、省電力モードから通常モードへと切り替える対象として前記第２の通信部を選択させるための方式情報を含み、
前記切替制御部は、前記切替信号検出部により検出されたモード切替信号に含まれる種別情報に基づいて前記第２の通信部を選択し、前記第２の通信部を省電力モードから通常モードへと切り替える、
請求項１に記載の通信装置。
【請求項３】
前記モード切替信号は、無変調キャリアである、
請求項１又は２に記載の通信装置。
【請求項４】
前記モード切替信号は、無変調キャリアと変調キャリアとの組み合わせである、
請求項１又は２に記載の通信装置。
【請求項５】
送信データを生成する演算処理部をさらに備え、
前記第２の通信部は、前記切替信号検出部により省電力モードから通常モードへと切り替えられた後で、前記演算処理部により生成された送信データを送信する、
請求項１に記載の通信装置。
【請求項６】
電圧が印加される信号電極と、
人体に接触又は近接された前記信号電極に電圧を印加し、人体表面に近傍電界を生成し送信する通信方式で通信する第１の通信部と、
前記第１の通信部とは異なる第２の通信部と、
前記第１の通信部により、前記第２の通信部に対応する相手装置の通信手段を省電力モードから通常モードへと切り替えさせるモード切替信号を送信する切替信号送信部と、
を備える、
通信装置。
【請求項７】
前記モード切替信号は、省電力モードから通常モードへと切り替える対象として前記第２の通信部に対応する相手装置の通信手段を選択させるための種別情報を含む、
請求項６に記載の通信装置。
【請求項８】
前記モード切替信号は、無変調キャリアである、
請求項６又は７に記載の通信装置。
【請求項９】
前記モード切替信号は、無変調キャリアと変調キャリアとの組み合わせである、
請求項６又は７に記載の通信装置。
【請求項１０】
送信データを生成する演算処理部をさらに備え、
前記第２の通信部は、前記切替信号送信部により送信されたモード切替信号に応じて相手装置の通信手段が省電力モードから通常モードへと切り替えられた後で、前記演算処理部により生成された送信データを送信する、
請求項６に記載の通信装置。
【請求項１１】
ユーザが身体の一部を接触して情報を入力するためのタッチパッドをさらに備え、
前記信号電極は、前記タッチパッドの近傍に配置される、
請求項１０に記載の通信装置。
【請求項１２】
有線又は無線で接続されたマウスをさらに備え、
少なくとも前記信号電極は、前記マウスに設けられる、
請求項１０に記載の通信装置。
【請求項１３】
前記第２の通信部は、無線ＬＡＮ機能を提供する無線通信部であり、
前記モード切替信号には、アクセスポイントに接続するためのチャネル番号、当該アクセルポイントの識別情報、暗号化に利用するキー情報が含まれている、
請求項１又は６に記載の通信装置。
【請求項１４】
人体に接触又は近接された信号電極から電圧を印加し、人体表面に近傍電界を生成し送信する通信方式で通信する第１の通信部と、
前記第１の通信部とは異なる第２の通信部と、
前記第１の通信部により間欠受信される信号の中から、前記第２の通信部を省電力モードから通常モードへと切り替えるためのモード切替信号を検出する切替信号検出部と、
前記切替信号検出部によりモード切替信号が検出された場合に、前記第２の通信部を省電力モードから通常モードへと切り替える切替制御部と、
を有する、第１の通信装置と、
前記第１の通信部と同じ通信方式で通信する第３の通信部と、
前記第３の通信部とは異なる第４の通信部と、
前記第３の通信部により、前記第１の通信装置が有する第２の通信部を省電力モードから通常モードへと切り替えさせるモード切替信号を送信する切替信号送信部と、
を有する、第２の通信装置と、
を含む、
通信システム。
【請求項１５】
人体に接触又は近接された信号電極から電圧を印加し、人体表面に近傍電界を生成し送信する通信方式で通信する第１の通信部と、前記第１の通信部とは異なる第２の通信部と、を有する通信装置が、
前記第１の通信部により間欠受信される信号の中から、前記第２の通信部を省電力モードから通常モードへと切り替えるためのモード切替信号を検出する切替信号検出ステップと、
前記切替信号検出ステップでモード切替信号が検出された場合に、前記第２の通信部を省電力モードから通常モードへと切り替える切替制御ステップと、
を含む、
モード切替方法。
【請求項１６】
人体に接触又は近接された信号電極から電圧を印加し、人体表面に近傍電界を生成し送信する通信方式で通信する第１の通信機能と、
前記第１の通信部とは異なる第２の通信機能と、
前記第１の通信機能により間欠受信される信号の中から、前記第２の通信機能が有する通信モードを省電力モードから通常モードへと切り替えるためのモード切替信号を検出する切替信号検出機能と、
前記切替信号検出機能によりモード切替信号が検出された場合に、前記第２の通信機能が有する通信モードを省電力モードから通常モードへと切り替える切替制御機能と、
をコンピュータに実現させるためのプログラム。
【発明の詳細な説明】
【技術分野】
【０００１】
本発明は、通信装置、通信システム、モード切替方法、及びプログラムに関する。
【背景技術】
【０００２】
近年、人体を伝送媒体として情報を送受信する人体通信に注目が集まっている。人体通信は、人体に接触又は近接された信号電極に電圧を印加して静電結合を形成し、形成された静電結合を利用して信号を送受信する通信方法である。この人体通信は、無線ＬＡＮなどの無線通信に比べて消費電力が低く、秘匿性が高いという利点がある。
【０００３】
さらに、信号電極に人体が接触又は近接することで通信が開始されるため、ユーザは、通信をしている実感が得やすい。そのため、人体通信を利用した直感的なインターフェースの実現も期待されている。人体通信に関し、例えば、下記の特許文献１には、無線ＬＡＮの変調方式や通信プロトコルを人体通信に流用し、無線ＬＡＮの構成要素と人体通信の構成要素を共用する通信装置の構成が開示されている。
【先行技術文献】
【特許文献】
【０００４】
【特許文献１】特開２０１０−２１９８４号公報
【発明の概要】
【発明が解決しようとする課題】
【０００５】
一般に、無線ＬＡＮを提供する手段は、伝送速度、変調方式、通信方式などの仕様により、低い消費電力で信号を待ち受ける状態を維持することが難しい。そのため、無線ＬＡＮ機能を搭載した携帯電話などにおいては、消費電力を抑制するため、無線ＬＡＮの利用時にユーザが手作業で無線ＬＡＮモードに切り替える仕組みが採用されている。しかしながら、携帯電話などの携帯機器をユーザがポケットなどから取り出して無線ＬＡＮモードに手作業で切り替える仕組みは利便性が低い。
【０００６】
そこで、低い消費電力で信号を待ち受けることが可能な人体通信を利用して利便性を高める仕組みが検討されている。但し、上記文献に記載された通信装置のように、無線ＬＡＮと人体通信で構成要素の共用化を図っている場合には、無線ＬＡＮの仕様に起因して、人体通信を利用する際にユーザが手作業で人体通信モードに切り替える仕組みが必要になってしまう。なお、ここでは無線ＬＡＮを例に挙げたが、Ｂｌｕｔｏｏｔｈ（登録商標；以下、ＢＴ）や赤外線通信などについても、無線ＬＡＮと同様に専用の利用モードをユーザが手作業で起動する仕組みが採用されている。
【０００７】
そこで、本発明は、上記問題に鑑みてなされたものであり、本発明の目的とするところは、人体通信を利用してユーザの利便性を向上させることが可能な、新規かつ改良された通信装置、通信システム、モード切替方法、及びプログラムを提供することにある。例えば、本発明は、当該通信装置をユーザが身に付けたまま、当該通信装置により無線ＬＡＮなどの通信を開始／終了できるようにすることを目的とする。
【課題を解決するための手段】
【０００８】
上記課題を解決するために、本発明のある観点によれば、人体に接触又は近接された信号電極から電圧を印加し、人体表面に近傍電界を生成し送信する通信方式で通信する第１の通信部と、前記第１の通信部とは異なる第２の通信部と、前記第１の通信部により間欠受信される信号の中から、前記第２の通信部を省電力モードから通常モードへと切り替えるためのモード切替信号を検出する切替信号検出部と、前記切替信号検出部によりモード切替信号が検出された場合に、前記第２の通信部を省電力モードから通常モードへと切り替える切替制御部と、を備える、通信装置が提供される。
【０００９】
また、上記の通信装置は、前記第１及び第２の通信部とは異なる第３の通信部をさらに備えていてもよい。この場合、前記モード切替信号は、省電力モードから通常モードへと切り替える対象として前記第２の通信部を選択させるための方式情報を含み、前記切替制御部は、前記切替信号検出部により検出されたモード切替信号に含まれる種別情報に基づいて前記第２の通信部を選択し、前記第２の通信部を省電力モードから通常モードへと切り替える。
【００１０】
また、前記モード切替信号は、無変調キャリアであってもよい。また、前記モード切替信号は、無変調キャリアと変調キャリアとの組み合わせであってもよい。
【００１１】
また、上記の通信装置は、送信データを生成する演算処理部をさらに備えていてもよい。この場合、前記第２の通信部は、前記切替信号検出部により省電力モードから通常モードへと切り替えられた後で、前記演算処理部により生成された送信データを送信する。
【００１２】
また、上記課題を解決するために、本発明の別の観点によれば、電圧が印加される信号電極と、人体に接触又は近接された前記信号電極に電圧を印加し、人体表面に近傍電界を生成し送信する通信方式で通信する第１の通信部と、前記第１の通信部とは異なる第２の通信部と、前記第１の通信部により、前記第２の通信部に対応する相手装置の通信手段を省電力モードから通常モードへと切り替えさせるモード切替信号を送信する切替信号送信部と、を備える、通信装置が提供される。
【００１３】
また、前記モード切替信号は、省電力モードから通常モードへと切り替える対象として前記第２の通信部に対応する相手装置の通信手段を選択させるための種別情報を含んでいてもよい。また、前記モード切替信号は、無変調キャリアであってもよい。また、前記モード切替信号は、無変調キャリアと変調キャリアとの組み合わせであってもよい。
【００１４】
また、上記の通信装置は、送信データを生成する演算処理部をさらに備えていてもよい。この場合、前記第２の通信部は、前記切替信号送信部により送信されたモード切替信号に応じて相手装置の通信手段が省電力モードから通常モードへと切り替えられた後で、前記演算処理部により生成された送信データを送信する。
【００１５】
また、上記の通信装置は、ユーザが身体の一部を接触して情報を入力するためのタッチパッドをさらに備えていてもよい。この場合、前記信号電極は、前記タッチパッドの近傍に配置される。
【００１６】
また、上記の通信装置は、有線又は無線で接続されたマウスをさらに備えていてもよい。この場合、少なくとも前記信号電極は、前記マウスに設けられる。
【００１７】
また、前記第２の通信部は、無線ＬＡＮ機能を提供する無線通信部であってもよい。この場合、前記モード切替信号には、アクセスポイントに接続するためのチャネル番号、当該アクセルポイントの識別情報、暗号化に利用するキー情報が含まれる。
【００１８】
また、上記課題を解決するために、本発明の別の観点によれば、人体に接触又は近接された信号電極から電圧を印加し、人体表面に近傍電界を生成し送信する通信方式で通信する第１の通信部と、前記第１の通信部とは異なる第２の通信部と、前記第１の通信部により間欠受信される信号の中から、前記第２の通信部を省電力モードから通常モードへと切り替えるためのモード切替信号を検出する切替信号検出部と、前記切替信号検出部によりモード切替信号が検出された場合に、前記第２の通信部を省電力モードから通常モードへと切り替える切替制御部と、を有する、第１の通信装置と、前記第１の通信部と同じ通信方式で通信する第３の通信部と、前記第３の通信部とは異なる第４の通信部と、前記第３の通信部により、前記第１の通信装置が有する第２の通信部を省電力モードから通常モードへと切り替えさせるモード切替信号を送信する切替信号送信部と、を有する、第２の通信装置と、を含む、通信システムが提供される。
【００１９】
また、上記課題を解決するために、本発明の別の観点によれば、人体に接触又は近接された信号電極から電圧を印加し、人体表面に近傍電界を生成し送信する通信方式で通信する第１の通信部と、前記第１の通信部とは異なる第２の通信部と、を有する通信装置が、前記第１の通信部により間欠受信される信号の中から、前記第２の通信部を省電力モードから通常モードへと切り替えるためのモード切替信号を検出する切替信号検出ステップと、前記切替信号検出ステップでモード切替信号が検出された場合に、前記第２の通信部を省電力モードから通常モードへと切り替える切替制御ステップと、を含む、モード切替方法が提供される。
【００２０】
また、上記課題を解決するために、本発明の別の観点によれば、人体に接触又は近接された信号電極から電圧を印加し、人体表面に近傍電界を生成し送信する通信方式で通信する第１の通信機能と、前記第１の通信部とは異なる第２の通信機能と、前記第１の通信機能により間欠受信される信号の中から、前記第２の通信機能が有する通信モードを省電力モードから通常モードへと切り替えるためのモード切替信号を検出する切替信号検出機能と、前記切替信号検出機能によりモード切替信号が検出された場合に、前記第２の通信機能が有する通信モードを省電力モードから通常モードへと切り替える切替制御機能と、をコンピュータに実現させるためのプログラムが提供される。
【００２１】
また、上記課題を解決するために、本発明の別の観点によれば、上記のプログラムが記録された、コンピュータにより読み取り可能な記録媒体が提供される。
【発明の効果】
【００２２】
以上説明したように本発明によれば、人体通信を利用してユーザの利便性を向上させることが可能になる。例えば、上記の通信装置をユーザが身に付けたまま、当該通信装置により無線ＬＡＮなどの通信を開始／終了できるようになる。
【図面の簡単な説明】
【００２３】
【図１】人体通信の原理について説明するための説明図である。
【図２】人体通信の一利用形態について説明するための説明図である。
【図３】本発明の一実施形態に係る情報処理装置の機能構成について説明するための説明図である。
【図４】同実施形態に係る人体通信ブロック及び信号電極の配置構成について説明するための説明図である。
【図５】同実施形態に係る携帯端末の機能構成について説明するための説明図である。
【図６】同実施形態に係る起動信号の構成について説明するための説明図である。
【図７】同実施形態に係る起動信号の構成について説明するための説明図である。
【図８】同実施形態に係る起動信号のスペクトラム構成について説明するための説明図である。
【図９】同実施形態に係る携帯端末が有する起動信号検出部の詳細な構成について説明するための説明図である。
【図１０】同実施形態に係る携帯端末が有する起動信号検出部において利用されるイネーブル信号（Ｅｎａｂｌｅ）の構成について説明するための説明図である。
【図１１】同実施形態に係る通信手段の起動方法について説明するための説明図である。
【図１２】同実施形態に係る携帯端末及び情報処理装置が有するアプリケーション部の機能を実現することが可能なハードウェア構成について説明するための説明図である。
【図１３】ＷａｋｅＵｐ信号の具体的な構成例について説明するための説明図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
［説明の流れについて］
ここで、以下に記載する本発明の実施形態に関する説明の流れについて簡単に述べる。まず、図１を参照しながら、人体通信の原理について説明する。次いで、図２を参照しながら、人体通信の一利用形態について説明する。
【００２６】
次いで、図３を参照しながら、本発明の一実施形態に係る情報処理装置の機能構成について説明する。次いで、図４を参照しながら、同実施形態に係る人体通信ブロック及び信号電極の配置構成について説明する。次いで、図５を参照しながら、同実施形態に係る携帯端末の機能構成について説明する。次いで、図６、図７を参照しながら、同実施形態に係る起動信号の構成について説明する。次いで、図８を参照しながら、同実施形態に係る起動信号のスペクトラム構成について説明する。
【００２７】
次いで、図９を参照しながら、同実施形態に係る携帯端末が有する起動信号検出部の詳細な構成について説明する。次いで、図１０を参照しながら、同実施形態に係る携帯端末が有する起動信号検出部において利用されるイネーブル信号（Ｅｎａｂｌｅ）の構成について説明する。次いで、図１１を参照しながら、同実施形態に係る通信手段の起動方法について説明する。この中で、図１３を参照しながら、ＷａｋｅＵｐ信号の具体的な構成について説明を補足する。
【００２８】
次いで、図１２を参照しながら、同実施形態に係る携帯端末及び情報処理装置が有するアプリケーション部の機能を実現することが可能なハードウェア構成について説明する。最後に、同実施形態の技術的思想について纏め、当該技術的思想から得られる作用効果について簡単に説明する。
【００２９】
（説明項目）
１：はじめに
１−１：人体通信の原理
１−２：人体通信の一利用形態
２：実施形態
２−１：情報処理装置２００の機能構成
２−２：携帯端末１００の機能構成
２−２−１：起動信号の構成
２−２−２：起動信号検出部１１５の詳細
２−３：起動信号による通信手段の選択方法
３：ハードウェア構成
４：まとめ
【００３０】
＜１：はじめに＞
本発明の実施形態について詳細に説明するに先立ち、人体通信の原理、人体通信の利用形態について簡単に説明する。
【００３１】
［１−１：人体通信の原理］
まず、図１を参照しながら、人体通信の原理について簡単に説明する。図１は、人体通信の原理について簡単に説明するための説明図である。図１の例において、人体１０は、送信機（携帯端末１００）を身に付けている。また、図１の例では、人体１０が受信機（情報処理装置２００）に触れている。また、送信機及び受信機は、それぞれ信号電極とグランド電極とを有する。そして、送信機及び受信機の信号電極は人体１０に接触している。なお、信号電極は、人体１０に直接接触している必要はない。例えば、信号電極と人体１０との間に服などが介在していてもよい。
【００３２】
送信機の信号電極に交流電圧を印加すると、人体１０は誘電体であるため、人体１０の周辺に電界（近傍界１５）が発生する。例えば、３０ＭＨｚの周波数帯を利用する場合、人体１０の比誘電率は約９０程度であるため、人体１０の表面には強い近傍界１５が生じる。この近傍界１５を介して、送信機の信号電極から発せられた信号が、受信機の信号電極に到達する。なお、人体通信には、空間伝搬とならず、かつ、人体防護指針の厳しくない周波数帯（例えば、３０ＭＨｚ以下）が好適に利用される。
【００３３】
さて、ここで重要なのは信号の帰線となるグランド側の振る舞いである。送信機のグランド電極は、大地１４に対して容量１１を有する。但し、図１の例では、容量１１を模式的に１つのコンデンサにより表現しているが、実際にはグランド電極と大地１４との間で多数の容量結合が生じている。同様に、受信機のグランド電極は、大地１４に対して容量１２を有する。また、送信機のグランド電極と受信機のグランド電極との間にも容量１３が存在する。そして、容量１１、１２、１３の総和が、送信機から受信機へと伝達される信号の帰線となる。なお、３０ＭＨｚの周波数帯を利用する場合、容量１１、１２、１３は十分に小さな値であるため、外部環境による伝搬特性への影響はほとんどない。
【００３４】
以上、人体通信の原理について簡単に説明した。
【００３５】
［１−２：人体通信の一利用形態］
次に、図２を参照しながら、人体通信の一利用形態について説明する。図２は、人体通信の一利用形態について説明するための説明図である。図２には、ユーザが身に付けている携帯端末１００と情報処理装置２００との間で人体通信を行う様子が示されている。
【００３６】
人体１０の一部が情報処理装置２００に触れ、携帯端末１００と情報処理装置２００との間で人体通信が開始されると、近傍界１５が発生し、人体１０を経由して携帯端末１００と情報処理装置２００との間で情報の送受信が可能になる。例えば、人体通信が開始されると、携帯端末１００に格納された画像Ｐのデータが情報処理装置２００に送られ、情報処理装置２００の表示画面に表示される。
【００３７】
また、人体通信を介して、情報処理装置２００を用いて入力された個人情報のデータ（例えば、アドレス帳のデータなど）を携帯端末１００に送ることができる。人体通信は、人体１０を介して情報の送受信が行われるため、無線ＬＡＮなどに比べて秘匿性が高い。そのため、人体通信は、個人情報のように漏洩が懸念されるデータの送受信に向いている。なお、図２に例示した利用形態においては、床が大地１４として作用する。
【００３８】
以上、人体通信の一利用形態について説明した。
【００３９】
＜２：実施形態＞
以下、本発明の一実施形態について説明する。本実施形態は、人体通信を利用して通信モードを切り替えることにより、携帯端末１００及び情報処理装置２００の消費電力を低減させる技術に関する。また、本実施形態は、ユーザが身に付けている携帯端末１００を取り出さずに通信モードを切り替える仕組みに関する。
【００４０】
［２−１：情報処理装置２００の機能構成］
まず、図３を参照しながら、本実施形態に係る情報処理装置２００の機能構成について説明する。図３は、本実施形態に係る情報処理装置２００の機能構成について説明するための説明図である。
【００４１】
図３に示すように、情報処理装置２００は、主に、人体通信ブロック２０１と、アプリケーション部２０２とにより構成される。また、人体通信ブロック２０１は、信号電極２１１と、グランド電極２１２と、分配器２１３（又は高周波スイッチ）と、人体通信部２１４と、起動信号送信部２１５とを有する。さらに、人体通信部２１４は、送受信部２２１と、ベースバンド部２２２と、インターフェース部２２３とを含む。
【００４２】
なお、アプリケーション部２０２は、パーソナルコンピュータ（以下、ＰＣ）が持つ主な機能を提供する。そして、アプリケーション部２０２の機能は、図１２に示すようなハードウェア構成により実現される。また、人体通信において帰線の一部を形成するためのグランド電極２１２は、例えば、情報処理装置２００の基板に設けられたグランド面（非図示）を流用するように構成されていてもよい。
【００４３】
（送信時の動作）
まず、アプリケーション部２０２から携帯端末１００へと送信されるデータが出力される。アプリケーション部２０２から出力されたデータは、インターフェース部２２３を介してベースバンド部２２２に入力される。ベースバンド部２２２は、入力されたデータを変調して送信信号を生成する。また、ベースバンド部２２２は、通信プロトコル制御などを行う。ベースバンド部２２２により生成された送信信号は、送受信部２２１に入力され、分配器２１３を経由して信号電極２１１から送信される。このとき、送受信部２２１は、信号電極２１１に交流電圧を印加して信号電界を発生させる。なお、送信信号の送信には短波帯（例えば、３０ＭＨｚ以下の周波数帯）が利用される。
【００４４】
（受信時の動作）
まず、信号電極２１１を介して送受信部２２１により信号が受信される。送受信部２２１により受信された信号は、ベースバンド部２２２に入力される。受信信号が入力されると、ベースバンド部２２２は、入力された受信信号を復調して受信データを生成する。ベースバンド部２２２により生成された受信データは、インターフェース部２２３を介してアプリケーション部２０２に入力される。受信データが入力されると、アプリケーション部２０２は、入力された受信データに応じた処理（例えば、受信データに応じた画像の表示など）を実行する。
【００４５】
（起動信号送信部２１５について）
上記の通り、人体通信部２１４は、情報処理装置２００における人体通信の基本的な機能を提供する手段である。この人体通信部２１４の機能を利用して、情報処理装置２００は、人体通信による情報の送受信を実現することができる。また、情報処理装置２００は、起動信号送信部２１５を有している。この起動信号送信部２１５は、人体通信を利用して携帯端末１００の通信モードを切り替え、所定の通信機能を起動させる手段である。
【００４６】
まず、アプリケーション部２０２に接続されたタッチパネルやキーボードなどを介して、携帯端末１００が有する所定の通信機能を起動させるようにユーザから入力を受けると、この入力は、アプリケーション部２０２からベースバンド部２２２に通知される。この通知を受けたベースバンド部２２２は、起動信号送信部２１５に対し、人体通信を利用して携帯端末１００に起動信号を送るように指示する。この指示を受けると、起動信号送信部２１５は、分配器２１３を経由して信号電極２１１に交流電流を印加して信号電界を発生させ、人体通信を利用して起動信号を携帯端末１００に送信する。
【００４７】
なお、起動信号送信部２１５は、起動信号として、キャリアのみを送信（図７を参照）するように構成されていてもよいし、キャリアに所定の信号を付加して送信（図６を参照）するように構成されていてもよい。また、起動信号の送信時に利用されるキャリア周波数は、人体通信部２１４が利用する周波数帯域と重複しないように、例えば、２ＭＨｚ周辺の周波数帯域が用いられる。そして、図３の例においては人体通信部２１４と起動信号送信部２１５で信号電極２１１を共用する構成が示されているが、人体通信部２１４と起動信号送信部２１５で別々の信号電極を利用するように構成されていてもよい。
【００４８】
（信号電極２１１などの配置について）
ここで、図４を参照しながら、信号電極２１１の配置について説明を補足する。信号電極２１１は、情報処理装置２００の形状などに応じて、ユーザが利用しやすい位置に配置されるのが好ましい。例えば、図４に示すように、情報処理装置２００のタッチパッド２３１の脇（片側でもよいし、両側でもよい）に信号電極２１１が配置されていると、ユーザは、信号電極２１１に触れながらキーボードなどを容易に操作することができる。
【００４９】
また、タッチパッド２３１の脇に信号電極２１１を配置すると、ユーザがマウス２３０を操作する際に信号電極２１１から手が離れてしまうため、ＵＳＢなどで情報処理装置２００に接続されたマウス２３０の把持部に信号電極２１１を設けてもよい。さらに、マウス２３０に人体通信ブロック２０１を内蔵してもよい。なお、情報処理装置２００の筐体やマウス２３０に信号電極２１１を搭載する場合、信号電極２１１は、情報処理装置２００の筐体やマウス２３０の表面に露出している必要はない。例えば、プラスチックや樹脂で形成された筐体の内部に信号電極２１１が設けられていれば、信号電極２１１と人体１０との間で容量結合が形成できる。
【００５０】
以上、本実施形態に係る情報処理装置２００の機能構成について説明した。
【００５１】
［２−２：携帯端末１００の機能構成］
次に、図５を参照しながら、本実施形態に係る携帯端末１００の機能構成について説明する。図５は、本実施形態に係る携帯端末１００の機能構成について説明するための説明図である。
【００５２】
図５に示すように、携帯端末１００は、主に、人体通信ブロック１０１と、アプリケーション部１０２とにより構成される。また、人体通信ブロック１０１は、信号電極１１１と、グランド電極１１２と、分配器１１３（又は高周波スイッチ）と、人体通信部１１４と、起動信号検出部１１５とを有する。さらに、人体通信ブロック１０１は、バンドパスフィルタ１１６と、低速クロック生成器１１７と、高速クロック生成器１１８と、振動部１１９とを有する。そして、人体通信部１１４は、送受信部１２１と、ベースバンド部１２２と、インターフェース部１２３とを含む。
【００５３】
なお、アプリケーション部１０２は、携帯電話、ＰＤＡ、携帯音楽プレーヤなどが持つ主な機能を提供する。そして、アプリケーション部１０２の機能は、図１２に示すようなハードウェア構成により実現される。また、人体通信において帰線の一部を形成するためのグランド電極１１２は、例えば、携帯端末１００の基板に設けられたグランド面（非図示）を流用するように構成されていてもよい。
【００５４】
（通信モードについて）
携帯端末１００は、通常モードとスリープモードを有する。通常モードは、高速クロック生成器１１８により生成された高速なクロックを利用して高速に情報を送受信できる状態である。一方、スリープモードは、高速クロック生成器１１８が休止し、低速クロック生成器１１７により生成された低速なクロックを利用した低速な情報の送受信のみが可能な状態である。スリープモードの場合、低速なクロックで情報の送受信が行われるため、情報の伝送速度は遅いが消費電力を大幅に抑制することが可能になる。携帯端末１００が待ち受け状態の場合、通信モードはスリープモードに設定される。
【００５５】
（通常モードにおける送信時の動作）
まず、アプリケーション部１０２から情報処理装置２００へと送信されるデータが出力される。アプリケーション部１０２から出力されたデータは、インターフェース部１２３を介してベースバンド部１２２に入力される。ベースバンド部１２２は、入力されたデータを変調して送信信号を生成する。また、ベースバンド部１２２は、通信プロトコル制御などを行う。ベースバンド部１２２により生成された送信信号は、送受信部１２１に入力され、分配器１１３を経由して信号電極１１１から送信される。このとき、送受信部１２１は、信号電極１１１に交流電圧を印加して信号電界を発生させる。なお、送信信号の送信には短波帯（例えば、３０ＭＨｚ以下の周波数帯）が利用される。
【００５６】
（通常モードにおける受信時の動作）
まず、信号電極１１１を介して送受信部１２１により信号が受信される。送受信部１２１により受信された信号は、ベースバンド部１２２に入力される。受信信号が入力されると、ベースバンド部１２２は、入力された受信信号を復調して受信データを生成する。ベースバンド部１２２により生成された受信データは、インターフェース部１２３を介してアプリケーション部１０２に入力される。受信データが入力されると、アプリケーション部１０２は、入力された受信データに応じた処理（例えば、受信データに応じた画像の表示など）を実行する。
【００５７】
（通信モードの切り替え動作）
スリープモードから通常モードへの切り替えは、情報処理装置２００から受信した起動信号に応じて実行される。信号電極１１１を介して起動信号が受信されると、受信された起動信号は、分配器１１３を経由してバンドパスフィルタ１１６に入力される。このバンドパスフィルタ１１６は、起動信号の周波数帯だけを通過させるフィルタである。バンドパスフィルタ１１６を通過した起動信号は、起動信号検出部１１５に入力される。
【００５８】
起動信号検出部１１５には、ベースバンド部１２２を介して低速クロック生成器１１７により生成された低速クロック（Ｌ−ＣＬＫ）が入力されている。そして、起動信号検出部１１５は、低速クロックにより間欠的に起動信号のキャリアを検出している。バンドパスフィルタ１１６から起動信号が入力されると、起動信号検出部１１５は、入力された起動信号を検出し、ベースバンド部１２２にＷａｋｅＵｐ信号を入力する。このＷａｋｅＵｐ信号は、低速クロックによる動作（スリープモード）から高速クロックによる動作（通常モード）へと切り替えるための信号である。
【００５９】
ＷａｋｅＵｐ信号が入力されると、ベースバンド部１２２は、高速クロック生成器１１８を起動する。そして、ベースバンド部１２２は、高速クロック生成器１１８により生成された高速クロックにより人体通信部１１４を動作させ、通信モードをスリープモードから通常モードへと切り替える。さらに、ベースバンド部１２２は、通信モードをスリープモードから通常モードへと切り替えた際、振動部１１９の動作を所定時間だけオンにし、振動部１１９により振動を発生させる。このようにして振動部１１９を振動させることにより、ユーザに通常モードへの切り替えが完了したことを通知することができる。
【００６０】
（２−２−１：起動信号の構成）
ここで、図６〜図８を参照しながら、起動信号の構成について説明を補足する。
【００６１】
図６は、起動信号として、無変調キャリアとＯＯＫ（Ｏｎ  Ｏｆｆ  Ｋｅｙｉｎｇ）信号波を併せて送信する場合の信号構成を示している。図６の例では、まず、時間Ｔｓの無変調キャリアを送信し、その後、ビット幅ＴｄのＯＯＫ信号を８ビット分だけ送信している。前半の時間Ｔｓは携帯端末１００の人体通信部１１４を起動させる役割を担っている。一方、後半の時間Ｔｄ×ｎのＯＯＫ信号は、通信モードをスリープモードから通常モードへと切り替えさせる役割を担っている。このように、無変調キャリアにＯＯＫ信号を付加する構成の場合、無変調キャリアだけを送信する場合に比べて外来ノイズによる誤動作の確率を低減させることができる。
【００６２】
一方、図７は、起動信号として、無変調キャリアのみを所定時間だけ送信する場合の信号構成を示している。図７の例では、時間Ｔｓの無変調キャリアが送信されている。上記の通り、無変調キャリアだけを送信する構成の場合、外来ノイズによる影響を受けやすくなってしまう。しかし、人体通信を実施している間だけ、無変調キャリアを送信し続けるなどして、人体通信の起動／停止期間を容易に制御することができる。
【００６３】
ここで、図８を参照しながら、通常モードにおける人体通信の周波数スペクトラムと、起動信号の周波数スペクトラムとの関係について考察する。図８のＳ１は、通常モードにおける人体通信の周波数スペクトラムを示している。一方、図８のＳ２〜Ｓ４は、起動信号の周波数スペクトラムを示している。なお、ここでは通常モードにおける人体通信はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式を用いて実施されるものとする。
【００６４】
起動信号を通常モードの通信開始時にだけ利用する場合、起動信号の周波数スペクトラムは、周波数スペクトラムＳ２のように、人体通信の周波数スペクトラムＳ１と同じ帯域内に設定してもよい。しかし、通常モードの通信中に起動信号を送信し続ける場合、起動信号の周波数スペクトラムは、相互干渉を避けるため、周波数スペクトラムＳ３、Ｓ４のように、人体通信の周波数スペクトラムＳ１と異なる帯域に設定される必要がある。
【００６５】
（２−２−２：起動信号検出部１１５の詳細）
ここで、図９を参照しながら、携帯端末１００が有する起動信号検出部１１５の構成について、より詳細に説明する。図９は、携帯端末１００が有する起動信号検出部１１５の構成について、より詳細に説明するための説明図である。
【００６６】
図９に示すように、起動信号検出部１１５は、ログアンプ１３１と、抵抗１３２と、コンデンサ１３３と、コンパレータ１３４と、判定部１３５と、タイミング生成部１３６とにより構成される。
【００６７】
起動信号検出部１１５は、低速クロック生成器１１７により生成された低速クロックによって動作している。また、起動信号検出部１１５は、所定周期で間欠動作している。起動信号検出部１１５の動作タイミングは、タイミング生成部１３６により生成されるイネーブル信号（Ｅｎａｂｌｅ）によって制御される。例えば、タイミング生成部１３６は、図１０に示すように、周期Ｔｉ（例えば、１ｓｅｃ）で時間Ｔｏｎ（例えば、１０ｍｓｅｃ）だけオンになるようなイネーブル信号を発信する。
【００６８】
タイミング生成部１３６により生成されたイネーブル信号は、ログアンプ１３１、コンパレータ１３４、及び判定部１３５に入力される。このように、イネーブル信号により起動信号検出部１１５が間欠動作することにより、動作電流を大幅に低減することができる。例えば、Ｔｉが１ｓｅｃ、Ｔｏｎが１０ｍｓｅｃの場合、連続動作している場合に比べて動作電流を約１００分の１程度まで低減することができる。なお、この構成を携帯電話などに実装した場合、アプリケーション部１０２を除く構成要素における待ち受け時の平均消費電力を数十マイクロワット程度にまで抑制することが可能になる。
【００６９】
さて、起動信号検出部１１５に起動信号が入力されると、入力された起動信号は、ログアンプ１３１に入力される。起動信号が入力されると、ログアンプ１３１は、入力された起動信号を増幅する。そして、ログアンプ１３１は、入力された起動信号の強度に応じてログリニアな直流電圧であるＲＳＳＩ（Ｒｅｃｅｉｖｅｄ  Ｓｉｇｎａｌ  Ｓｔｒｅｎｇｔｈ  Ｉｎｄｉｃａｔｏｒ）を出力する。ログアンプ１３１から出力されたＲＳＳＩは、抵抗１３２、コンデンサ１３３により平滑化され、コンパレータ１３４に入力される。
【００７０】
コンパレータ１３４には、平滑化されたＲＳＳＩの他に所定の閾値Ｖｒｅｆが入力されている。コンパレータ１３４は、入力されたＲＳＳＩが所定の閾値Ｖｒｅｆを越えると、ハイの信号を出力する。コンパレータ１３４から出力されたハイの信号は、判定部１３５に入力される。イネーブル信号がオンの時間Ｔｏｎにおいて起動信号検出部１１５が動作し、起動信号の無変調キャリアが受信された場合、判定部１３５は、起動信号を受信したと判断する。
【００７１】
また、起動信号がＯＯＫ信号を含む場合、判定部１３５は、無変調キャリアに続くＯＯＫ信号を非同期で取り込み、データを判定する。判定部１３５による判定の結果、入力された信号が起動信号であると判定された場合、判定部１３５は、ベースバンド部１２２にＷａｋｅＵｐ信号を入力する。一方、起動信号が無変調キャリアだけの信号である場合、判定部１３５は、無変調キャリアの取り込みと共にＷａｋｅＵｐ信号をベースバンド部１２２に入力する。
【００７２】
以上、起動信号検出部１１５の構成について、より詳細に説明した。上記のように、起動信号検出部１１５を間欠動作させることで消費電力を低減することができる。また、起動信号を受信するまで低速クロックにより動作するため、待ち受け時の携帯端末１００における消費電力を大幅に低減することができる。また、人体通信を利用して携帯端末１００の通信モードをスリープモードから通常モードへと切り替えるため、ユーザは、通信モードの切り替え時に携帯端末１００を操作する必要がない。その結果、ユーザが携帯端末１００をポケットなどから取り出す必要がなくなるため、利便性が向上する。
【００７３】
以上、本実施形態に係る携帯端末１００の機能構成について説明した。なお、ここまでは人体通信の通信モード（高速クロックによる動作モード、低速クロックによる動作モード）を切り替える構成について説明してきたが、人体通信を利用して無線ＬＡＮやＢＴなどの他の通信手段の通信モードを切り替える構成に応用することも可能である。例えば、人体通信により送信された起動信号に応じて、無線ＬＡＮを提供する手段をスリープモードから通常モードへと切り替える構成に変形することが可能である。
【００７４】
［２−３：起動信号による通信手段の選択方法］
次に、図１１を参照しながら、人体通信により送信される起動信号を利用した通信手段の選択方法について説明する。図１１は、人体通信により送信される起動信号を利用した通信手段の選択方法について説明するための説明図である。
【００７５】
上記の通り、携帯端末１００及び情報処理装置２００の構成は、無線ＬＡＮやＢＴなどの通信モードを切り替える構成に変形することが可能である。但し、携帯端末１００に複数の通信手段（例えば、人体通信、無線ＬＡＮ、ＢＴ、赤外線通信など）が搭載されている場合、起動すべき通信手段を選択する仕組みが必要になる。そこで、本件発明者は、起動信号の中に、起動すべき通信手段の種類を記述して送信する仕組みを考案した。以下、この仕組みを適用した携帯端末１００及び情報処理装置２００における通信手段の選択処理、及び、当該通信手段の起動処理について説明する。
【００７６】
図１１に示すように、まず、情報処理装置２００から携帯端末１００へと起動信号が送信される（Ｓ１０１）。但し、携帯端末１００は、待ち受け状態にあり、所定の通信手段がスリープモードになっているものとする。また、起動信号には、通信モードをスリープモードから通常モードへと切り替える通信手段として、上記所定の通信手段を示す情報（以下、起動種別）が記述されているものとする。情報処理装置２００から送信された起動信号は、携帯端末１００により受信され、起動信号検出部１１５に入力される（Ｓ１０２）。起動信号が入力されると、起動信号検出部１１５は、起動信号に記述された起動種別を読み出し、当該起動種別に基づいて起動すべき通信手段を選択する（Ｓ１０３）。
【００７７】
通信手段を選択した起動信号検出部１１５は、選択した通信手段に対し、ＷａｋｅＵｐ信号を入力する（Ｓ１０４）。例えば、起動信号検出部１１５は、無線ＬＡＮを提供する手段のベースバンド部にＷａｋｅＵｐ信号を入力する。ＷａｋｅＵｐ信号が入力された通信手段は、通信モードをスリープモードから通常モードへと切り替える。このように、起動信号に起動種別を記述しておくことにより、複数の通信手段を搭載した携帯端末１００においても、人体通信を利用した通信モードの切り替え方法を利用して所望の通信手段を起動することが可能になる。
【００７８】
（ＷａｋｅＵｐ信号の具体例）
ここで、図１３を参照しながら、人体通信を用いて無線ＬＡＮを起動する場合におけるＷａｋｅＵｐ信号の具体的な構成について説明を補足する。図１３は、人体通信を用いて無線ＬＡＮを起動する場合におけるＷａｋｅＵｐ信号の具体的な構成について説明するための説明図である。
【００７９】
通常、携帯端末１００の側において無線ＬＡＮを起動すると、携帯端末１００は、その周囲にある無線ＬＡＮの基地局に相当するアクセスポイントを検索する。例えば、携帯端末１００は、全てのチャンネルについてスキャンを実行し、自身が接続すべきアクセスポイントのＩＤであるＳＳＩＤ（Ｓｅｒｖｉｃｅ  Ｓｅｔ  Ｉｄｅｎｔｉｆｉｅｒ）を検索する。目的のＳＳＩＤを持つアクセスポイントが見つかった場合、携帯端末１００は、そのアクセスポイントに接続する。
【００８０】
このとき、セキュリティを高めるための暗号化キーが必要になる。この暗号化キーとしては、例えば、ＷＥＰ  Ｋｅｙ（Ｗｉｒｅｄ  Ｅｑｕｉｖａｌｅｎｔ  Ｐｒｉｖａｃｙ）などが用いられる。ＷＥＰを利用する場合、送信側と受信側に同一の情報（キー）が設定され、このキーを利用して暗号化／復号が行われる。なお、ＷＥＰの場合、キーが固定（６４ビット又は１２８ビット）で脆弱であることから、よりセキュリティの強化された新たな方式も考案されている。
【００８１】
さて、無線ＬＡＮの接続を早めるためには、接続相手となるアクセスポイントのチャネル番号（ＣＨ）、ＳＳＩＤ、ＷＥＰ  ＫＥＹが必要になる。図１３に示したＷａｋｅＵｐ信号は、プリアンブルＤ１（ＰＲ）、ユニークワードＤ２（ＵＷ）、データＤ３（ＤＡＴＡ）、巡回冗長検査符号Ｄ４（ＣＲＣ）により構成されている。また、無線ＬＡＮの接続を早めるため、データＤ３は、チャネル番号Ｄ３１、ＳＳＩＤＤ３２、ＷＥＰＫＥＹＤ３３により構成されている。なお、データＤ３は、巡回冗長検査符号Ｄ４により誤り検査される。
【００８２】
携帯端末１００の側における無線ＬＡＮは、図１３に例示したＷａｋｅＵｐ信号（起動信号）を受信し、そのＷａｋｅＵｐ信号が正しいと判断された場合に接続が開始される。このとき、携帯端末１００は、受信したＷａｋｅＵｐ信号に含まれるチャネル番号、ＳＳＩＤ、ＷＥＰＫＥＹを用いてアクセスポイントとの間で接続を開始する。このように、ＷａｋｅＵｐ信号によりチャネル番号、ＳＳＤＩ、ＷＥＰＫＥＹが与えられるため、短時間でアクセスポイントと携帯端末１００との間の無線ＬＡＮによる接続が実現される。
【００８３】
以上、本発明の一実施形態について説明した。上記のように、人体通信を利用して情報処理装置２００から携帯端末１００の通信モードを切り替えることができるようにすることで、携帯端末１００に触れずに所望の通信手段を利用可能な状態にすることができる。例えば、ユーザは、ポケットやカバンなどから携帯端末１００を取り出して操作せずとも、所望の通信手段を有効な状態に切り替えることが可能になる。その結果、ユーザの利便性が大きく向上する。
【００８４】
＜３：ハードウェア構成＞
さて、本実施形態に係る携帯端末１００が有するアプリケーション部１０２及び情報処理装置２００が有するアプリケーション部２０２の機能は、例えば、図１２に示すハードウェア構成を用いて実現することが可能である。つまり、アプリケーション部１０２、２０２の機能は、コンピュータプログラムを用いて図１２に示すハードウェアを制御することにより実現される。なお、このハードウェアの形態は任意であり、例えば、パーソナルコンピュータ、携帯電話、ＰＨＳ、ＰＤＡ等の携帯情報端末、ゲーム機、又は種々の情報家電がこれに含まれる。但し、上記のＰＨＳは、Ｐｅｒｓｏｎａｌ  Ｈａｎｄｙ−ｐｈｏｎｅ  Ｓｙｓｔｅｍの略である。また、上記のＰＤＡは、Ｐｅｒｓｏｎａｌ  Ｄｉｇｉｔａｌ  Ａｓｓｉｓｔａｎｔの略である。
【００８５】
図１２に示すように、このハードウェアは、主に、ＣＰＵ９０２と、ＲＯＭ９０４と、ＲＡＭ９０６と、ホストバス９０８と、ブリッジ９１０と、を有する。さらに、このハードウェアは、外部バス９１２と、インターフェース９１４と、入力部９１６と、出力部９１８と、記憶部９２０と、ドライブ９２２と、接続ポート９２４と、通信部９２６と、を有する。但し、上記のＣＰＵは、Ｃｅｎｔｒａｌ  Ｐｒｏｃｅｓｓｉｎｇ  Ｕｎｉｔの略である。また、上記のＲＯＭは、Ｒｅａｄ  Ｏｎｌｙ  Ｍｅｍｏｒｙの略である。そして、上記のＲＡＭは、Ｒａｎｄｏｍ  Ａｃｃｅｓｓ  Ｍｅｍｏｒｙの略である。
【００８６】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、ＣＰＵ９０２に読み込まれるプログラムや演算に用いるデータ等を格納する手段である。ＲＡＭ９０６には、例えば、ＣＰＵ９０２に読み込まれるプログラムや、そのプログラムを実行する際に適宜変化する各種パラメータ等が一時的又は永続的に格納される。
【００８７】
これらの構成要素は、例えば、高速なデータ伝送が可能なホストバス９０８を介して相互に接続される。一方、ホストバス９０８は、例えば、ブリッジ９１０を介して比較的データ伝送速度が低速な外部バス９１２に接続される。また、入力部９１６としては、例えば、マウス、キーボード、タッチパネル、ボタン、スイッチ、及びレバー等が用いられる。さらに、入力部９１６としては、赤外線やその他の電波を利用して制御信号を送信することが可能なリモートコントローラ（以下、リモコン）が用いられることもある。
【００８８】
出力部９１８としては、例えば、ＣＲＴ、ＬＣＤ、ＰＤＰ、又はＥＬＤ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。但し、上記のＣＲＴは、Ｃａｔｈｏｄｅ  Ｒａｙ  Ｔｕｂｅの略である。また、上記のＬＣＤは、Ｌｉｑｕｉｄ  Ｃｒｙｓｔａｌ  Ｄｉｓｐｌａｙの略である。そして、上記のＰＤＰは、Ｐｌａｓｍａ  ＤｉｓｐｌａｙＰａｎｅｌの略である。さらに、上記のＥＬＤは、Ｅｌｅｃｔｒｏ−Ｌｕｍｉｎｅｓｃｅｎｃｅ  Ｄｉｓｐｌａｙの略である。
【００８９】
記憶部９２０は、各種のデータを格納するための装置である。記憶部９２０としては、例えば、ハードディスクドライブ（ＨＤＤ）等の磁気記憶デバイス、半導体記憶デバイス、光記憶デバイス、又は光磁気記憶デバイス等が用いられる。但し、上記のＨＤＤは、Ｈａｒｄ  Ｄｉｓｋ  Ｄｒｉｖｅの略である。
【００９０】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ  ＤＶＤメディア、各種の半導体記憶メディア等である。もちろん、リムーバブル記録媒体９２８は、例えば、非接触型ＩＣチップを搭載したＩＣカード、又は電子機器等であってもよい。但し、上記のＩＣは、Ｉｎｔｅｇｒａｔｅｄ  Ｃｉｒｃｕｉｔの略である。
【００９１】
接続ポート９２４は、例えば、ＵＳＢポート、ＩＥＥＥ１３９４ポート、ＳＣＳＩ、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。但し、上記のＵＳＢは、Ｕｎｉｖｅｒｓａｌ  Ｓｅｒｉａｌ  Ｂｕｓの略である。また、上記のＳＣＳＩは、Ｓｍａｌｌ  Ｃｏｍｐｕｔｅｒ  Ｓｙｓｔｅｍ  Ｉｎｔｅｒｆａｃｅの略である。
【００９２】
通信部９２６は、ネットワーク９３２に接続するための通信デバイスであり、例えば、有線又は無線ＬＡＮ、Ｂｌｕｅｔｏｏｔｈ（登録商標）、又はＷＵＳＢ用の通信カード、光通信用のルータ、ＡＤＳＬ用のルータ、又は各種通信用のモデム等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。但し、上記のＬＡＮは、Ｌｏｃａｌ  Ａｒｅａ  Ｎｅｔｗｏｒｋの略である。また、上記のＷＵＳＢは、Ｗｉｒｅｌｅｓｓ  ＵＳＢの略である。そして、上記のＡＤＳＬは、Ａｓｙｍｍｅｔｒｉｃ  Ｄｉｇｉｔａｌ  Ｓｕｂｓｃｒｉｂｅｒ  Ｌｉｎｅの略である。
【００９３】
＜４：まとめ＞
最後に、本発明の実施形態に係る技術内容について簡単に纏める。ここで述べる技術内容は、例えば、ＰＣ、携帯電話、携帯ゲーム機、携帯情報端末、情報家電、カーナビゲーションシステム等、種々の情報処理装置に対して適用することができる。
【００９４】
上記の情報処理装置の機能構成は次のように表現することができる。当該情報処理装置は、次のような第１の通信部と、第２の通信部と、切替信号検出部と、切替制御部とを有する。上記第１の通信部は、人体に接触又は近接された信号電極から電圧を印加し、人体表面に近傍電界を生成し送信する第１の通信方式で通信する手段である。また、上記第２の通信部は、前記第１の通信方式とは異なる第２の通信方式で通信する手段である。
【００９５】
また、上記の切替信号検出部は、前記第１の通信部により間欠受信される信号の中から、前記第２の通信部を省電力モードから通常モードへと切り替えるためのモード切替信号を検出する手段である。そして、上記の切替制御部は、前記切替信号検出部によりモード切替信号が検出された場合に、前記第２の通信部を省電力モードから通常モードへと切り替える手段である。
【００９６】
このように、第１の通信方式（人体通信）を利用して第２の通信部を省電力モードから通常モードへと切り替えることが可能になることで、自装置をユーザが操作せずに、第２の通信方式に基づく通信を実現することが可能になる。
【００９７】
（備考）
上記の携帯端末１００、情報処理装置２００は、通信装置の一例である。上記の人体通信部１１４、２１４及び無線ＬＡＮやＢＴなどを提供する手段は、第２の通信部、第３の通信部の一例である。上記の起動信号検出部１１５は、第１の通信部、切替信号検出部の一例である。上記の起動信号は、モード切替信号の一例である。上記の起動信号検出部１１５、ベースバンド部１２２は、切替制御部の一例である。上記の起動種別は、種別情報の一例である。上記のＯＯＫ信号は、変調キャリアの一例である。上記のアプリケーション部１０２、２０２は、演算処理部の一例である。上記の起動信号送信部２１５は、第１の通信部、切替信号送信部の一例である。
【００９８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００９９】
１０    人体
１１、１２、１３    容量
１４    大地
１５    近傍界
１００    携帯端末
１０１    人体通信ブロック
１０２    アプリケーション部
１１１    信号電極
１１２    グランド電極
１１３    分配器
１１４    人体通信部
１１５    起動信号検出部
１１６    バンドパスフィルタ
１１７    低速クロック生成器
１１８    高速クロック生成器
１１９    振動部
１２１    送受信部
１２２    ベースバンド部
１２３    インターフェース部
１３１    ログアンプ
１３２    抵抗
１３３    コンデンサ
１３４    コンパレータ
１３５    判定部
１３６    タイミング生成部
２００    情報処理装置
２０１    人体通信ブロック
２０２    アプリケーション部
２１１    信号電極
２１２    グランド電極
２１３    分配器
２１４    人体通信部
２１５    起動信号送信部
２２１    送受信部
２２２    ベースバンド部
２２３    インターフェース部
２３０    マウス
２３１    タッチパッド
Ｐ    画像
【図１】
2011259172.tif 000003
【図２】
2011259172.tif 000004
【図３】
2011259172.tif 000005
【図４】
2011259172.tif 000006
【図５】
2011259172.tif 000007
【図６】
2011259172.tif 000008
【図７】
2011259172.tif 000009
【図８】
2011259172.tif 000010
【図９】
2011259172.tif 000011
【図１０】
2011259172.tif 000012
【図１１】
2011259172.tif 000013
【図１２】
2011259172.tif 000014
【図１３】
2011259172.tif 000015